(57)【要約】【課題】付加部品の取付部位が設けられた本体部の側面を、カバー部材によって効率的に覆うことが可能な販売登録装置を提供する。【解決手段】商品から情報を読み取る読取部と、チェックアウトカウンタの上面に立設され、前記読取部を収納する略箱状の本体部と、前記本体部の側面を所定の高さ方向のサイズで区分してなる小領域の単位で設けられ、前記本体部の側面に付加部品を取り付けるための第１取付部と、前記本体部の側面と略同等の幅で、且つ前記小領域の高さ方向のサイズを整数倍した高さのパネル面を有するカバー部と、を備え、前記本体部の側面のうち前記付加部品が未装着の領域は、複数の前記カバー部によって覆われる。【選択図】図１
2019153163.tif 000002
【特許請求の範囲】
【請求項１】
商品から情報を読み取る読取部と、
チェックアウトカウンタの上面に立設され、前記読取部を収納する略箱状の本体部と、
前記本体部の側面を所定の高さ方向のサイズで区分してなる小領域の単位で設けられ、前記本体部の側面に付加部品を取り付けるための第１取付部と、
前記本体部の側面と略同等の幅で、且つ前記小領域の高さ方向のサイズを整数倍した高さのパネル面を有するカバー部と、
を備え、
前記本体部の側面のうち前記付加部品が未装着の領域は、複数の前記カバー部によって覆われる販売登録装置。
【請求項２】
前記本体部の側面のうち前記付加部品が未装着の領域は、前記パネル面のサイズが異なる少なくとも２種類の前記カバー部によって覆われる請求項１に記載の販売登録装置。
【請求項３】
前記小領域の高さ方向のサイズは、前記付加部品を前記本体部の側面に取り付けた際に、当該付加部品が前記本体部の側面に当接する領域部分の高さ方向の長さに基づいて設定される請求項１又は２に記載の販売登録装置。
【請求項４】
前記カバー部は、前記本体部の側面に対し着脱自在に取り付けられる請求項１〜３の何れか一項に記載の販売登録装置。
【請求項５】
前記本体部の側面に前記小領域の単位で、且つ前記付加部品を取り付けた状態で当該付加部品によって隠れる部位に設けられた、前記カバー部を着脱自在に取り付けるための第２取付部を更に備え、
前記カバー部は、前記第２取付部を介して前記本体部の側面に着脱自在に取り付けられる請求項１〜４の何れか一項に記載の販売登録装置。
【発明の詳細な説明】
【技術分野】
【０００１】
本発明の実施形態は、販売登録装置に関する。
【背景技術】
【０００２】
従来、販売対象の商品の登録を行う販売登録装置と、販売登録装置で登録された商品の販売登録データに基づき決済処理を実行する会計装置とを、ネットワーク接続したチェックアウトシステムが利用されている。係るチェックアウトシステムでは、商品の登録と決済とを複数の店員で分業する構成（二人制方式）や、客自身が決済を行う構成（セミセルフ方式）とすることが可能である。
【０００３】
上記のチェックアウトシステムでは、省スペース化等のため、縦型スキャナと呼ばれるタイプの販売登録装置が使用されている。このような販売登録装置では、チェックアウトカウンタ上に立設した本体部内に読取装置等を収納し、本体部の上方に表示装置を備える構成が知られている。また、販売登録装置では、筐体（本体部）の側面に付加部品（オプション）を取り付けるための取付部が設けられており、ハンドスキャナを引き掛けて保持するための保持部等を取り付けることが行われている。
【０００４】
ところで、上記の販売登録装置では、付加部品を使用しない場合、筐体側面に設けられた付加部品の取付部位（取付部）が露出することになる。この取付部位が露出すると、販売登録装置のデザイン性が低下する可能性がある。また、取付部位がネジ穴等で構成される場合、本体内部へのゴミの侵入源となる可能性もあるため、カバー部材で覆うことが望ましい。
【０００５】
しかしながら、付属部品の装着によって本体部側面の領域は区分されるため、単一のカバー部材では覆うことはできない。また、付属部品の設置高さを調整可能な構成とした場合、設置高さに応じて区分される領域の大きさも変わるため、カバー部材のサイズを不用意に設計すると、取付部の全域を覆うことができない可能性がある。
【発明の概要】
【発明が解決しようとする課題】
【０００６】
本発明が解決しようとする課題は、付加部品の取付部位が設けられた本体部の側面を、カバー部材によって効率的に覆うことが可能な販売登録装置を提供することである。
【課題を解決するための手段】
【０００７】
実施形態の販売登録装置は、商品から情報を読み取る読取部と、チェックアウトカウンタの上面に立設され、前記読取部を収納する略箱状の本体部と、前記本体部の側面を所定の高さ方向のサイズで区分してなる小領域の単位で設けられ、前記本体部の側面に付加部品を取り付けるための第１取付部と、前記本体部の側面と略同等の幅で、且つ前記小領域の高さ方向のサイズを整数倍した高さのパネル面を有するカバー部と、を備え、前記本体部の側面のうち前記付加部品が未装着の領域は、複数の前記カバー部によって覆われる。
【図面の簡単な説明】
【０００８】
【図１】図１は、実施形態に係るチェックアウトシステムの一例を示す斜視図である。
【図２】図２は、図１に示した販売登録装置を正面側から見た図である。
【図３】図３は、図１に示した販売登録装置を背面側から見た図である。
【図４】図４は、図１に示した筐体の構成の一例を示す斜視図である。
【図５】図５は、実施形態に係るサイドパネルの外観構成の一例を示す斜視図である。
【図６】図６は、図５に示したサイドパネルをＡ１方向から見た図である。
【図７】図７は、図４に示した支持部にサイドパネルを取り付けた状態の一例を示す斜視図である。
【図８】図８は、支持部及びサイドパネルの取り付け部分の断面の一例を模式的に示す図である。
【図９】図９は、サイドパネルを取り付けた販売登録装置の側面の一例を模式的に示す図である。
【図１０】図１０は、サイドパネルを取り付けた販売登録装置の側面の一例を模式的に示す図である。
【図１１】図１１は、サイドパネルを取り付けた販売登録装置の側面の一例を模式的に示す図である。
【発明を実施するための形態】
【０００９】
以下に添付図面を参照して、本発明に係る販売登録装置の実施形態を詳細に説明する。以下の実施形態では、二人制方式やセミセルフ方式等のチェックアウトシステムで用いられる販売登録装置について説明するが、本発明はこの実施形態に限定されるものではない。
【００１０】
図１は、実施形態に係るチェックアウトシステム１の一例を示す斜視図である。図２は、図１に示した販売登録装置１０を正面側（オペレータ側）から見た図である。図３は、図１に示した販売登録装置１０を背面側（客側）から見た図である。
【００１１】
チェックアウトシステム１は、横長テーブル状のチェックアウトカウンタ２を有する。チェックアウトカウンタ２の上面には、平坦な荷受面３が形成されている。荷受面３には、商品を収納する買い物カゴ（図示せず）等が載置される。
【００１２】
チェックアウトカウンタ２の長手方向の略中央領域には、販売登録装置１０が設置される。販売登録装置１０は、縦型タイプのスキャナ装置（縦型スキャナ）である。販売登録装置１０は、荷受面３において、オペレータから見て奥側に位置付けられる。販売登録装置１０は、決済端末（図示せず）等の外部装置と通信可能に接続される。
【００１３】
販売登録装置１０は、荷受面３に立設された筐体１１を主体に構成される。筐体１１は、販売登録装置１０の動作に係る各種の機器を収納する。筐体１１は、例えば、読取部２１及びプリンタ部２２を内部に備える。
【００１４】
読取部２１は、読取窓２１ａを介して、商品に付されたコードシンボルや当該商品の特徴等、販売登録の対象となる商品から当該商品に関する情報を読み取る読取装置である。読取部２１は、読取窓２１ａから読取光を照射する照明、その反射光を受光するイメージセンサ、イメージセンサの出力信号に関してデコード処理を実行するデコーダ等（何れも図示せず）を具備する。
【００１５】
プリンタ部２２は、レシート等の印刷部を印刷（発行）する印刷装置である。プリンタ部２２は、印刷媒体である用紙を収納するための用紙収納部、用紙収納部に収納された用紙を排紙口２２ａに搬送する搬送部、排紙口２２ａに搬送される用紙に印刷を行う印刷部等（何れも図示せず）を具備する。
【００１６】
筐体１１の表面（正面、背面及び側面）には、パネル部１２（正面パネル１２１、背面パネル１２２、サイドパネル１２３）が着脱自在に取り付けられる。パネル部１２は、筐体１１の表面をカバーするカバー部（カバー部材）の一例であり、樹脂等の板状部材によって形成される。ここで、筐体１１の正面側に取り付けられる正面パネル１２１には、読取部２１及びプリンタ部２２の正面（インタフェース）を露出させた状態で筐体１１の正面を覆うことができるよう、開口部１２１ａ、１２１ｂが設けられている。
【００１７】
筐体１１の上部には、表示部１３が取り付けられる。表示部１３は、液晶ディスプレイ等の表示デバイスを備えた表示装置である。表示部１３は、筐体１１の正面よりも手前側に延出させて設けられ、その前部が下方下がりに傾斜している。表示部１３は、販売登録装置１０を操作するオペレータ用のディスプレイとして使用される。なお、表示部１３は、タッチパネル構成であってもよい。また、表示部１３は、販売登録装置１０の電源ユニットや、ＣＰＵ（Central  Processing  Unit）やＲＯＭ（Read  Only  Memory）、ＲＡＭ（Random  Access  Memory）等で構成される販売登録装置１０の制御ユニット等を備えてもよい。
【００１８】
操作部１４は、表示部１３に隣接して設けられる。図１では、操作部１４は、オペレータから見て表示部１３の右隣に設けられている。操作部１４は、キーボード等の入力デバイスを有する。
【００１９】
また、筐体１１の側部（側面）には、販売登録装置１０に所定の機能を追加するための付加部品ＯＰを取り付けることが可能となっている。図１では、ハンドスキャナ（図示せず）を引き掛けて固定するための保持具を取り付けた例を示している。この保持具により、販売登録装置１０は、ハンドスキャナを保持する機能を具備する。なお、付加部品ＯＰは、図１の例に限らず、他の器具を取り付ける構成としてもよい。例えば、付加部品ＯＰは、筐体１１の側面から水平方向に延出する載置面を有した、物品を載置するためのアーム部等であってもよい。
【００２０】
また、荷受面３には、筐体１１の足部１１３（図４参照）が差し込まれる貫通穴（図示せず）が形成されている。筐体１１の足部１１３を荷受面３の貫通穴に差し込むことで、筐体１１が荷受面３上に固定（立設）される。荷受面３上に立設される販売登録装置１０の高さは、オペレータの目の高さ程度とすることが好ましい。
【００２１】
なお、販売登録装置１０の構成は、上記の例に限らないものとする。例えば、販売登録装置１０は、表示画面を販売登録装置１０の背面側に向けた客用の表示部（客用表示部）を備えてもよい。客用表示部は、例えば、表示部１３の背面や表示部１３に隣接した位置（操作部１４と逆の位置）に取り付けることができる。
【００２２】
次に、図４を参照して、販売登録装置１０（筐体１１）の構成について説明する。図４は、筐体１１の構成の一例を示す斜視図である。なお、図４では、販売登録装置１０からサイドパネル１２３、表示部１３、操作部１４及び付加部品ＯＰを取り除いた状態を示している。
【００２３】
図４に示すように、筐体１１は、本体部１１１と、支持部１１２とを備える。本体部１１１は、全体として、高さ方向（Ｚ方向）に長い略箱状の形状を有する。本体部１１１は、読取部２１やプリンタ部２２等の機器を内部に収納する。
【００２４】
なお、本体部１１１が収納する機器は、読取部２１やプリンタ部２２に限らず、販売登録装置１０の制御ユニットや電源ユニット等を収納してもよい。また、表示部１３は、本体部１１１の上面に取り付けられる。具体的には、表示部１３は、チルト機構等を備えた保持具１３ａ（図３参照）等を用いて本体部１１１の上面に取り付けられる。
【００２５】
本体部１１１の両側部（側面）には、支持部１１２が取り付けられる。支持部１１２は、本体部１１１の高さ方向に亘って延設された断面が馬蹄状の柱状（板状）部材であり、例えば金属板等によって形成される。支持部１１２は、本体部１１１を両側面から支持する。
【００２６】
具体的には、支持部１１２は、断面が略コの字状の側面部１１２１と、側面部１１２１の両端から外側に向けて延設された延設部１１２２とを有する。側面部１１２１は、支持部１１２を本体部１１１に取り付けた際に、筐体１１（本体部１１１）の側面となる部位である。延設部１１２２は、支持部１１２を本体部１１１に取り付ける際に、本体部１１１に接合される部位である。なお、支持部１１２の幅方向（Ｙ方向）のサイズは、本体部１１１の奥行き方向のサイズと略同等であり、支持部１１２の高さ方向（Ｚ方向）のサイズは、本体部１１１の高さ方向のサイズよりも長く形成されている。
【００２７】
支持部１１２は、溶接やネジ止め等によって本体部１１１の側面に固定（接合）される。具体的には、支持部１１２の上端が本体部１１１の上面と略同等の高さに揃えられた状態で、側面部１１２１の両端に設けられた延設部１１２２が、本体部１１１の高さ方向に亘って本体部１１１の側面に接合される。つまり、支持部１１２は、コの字状の段面の凹側が本体部１１１の側面に対向するよう取り付けられる。
【００２８】
なお、支持部１１２の下端部分、つまり本体部１１１の下面から突出した支持部１１２の部分は、筐体１１の足部１１３となる。足部１１３は、荷受面３の貫通穴に差し込まれる。これにより、支持部１１２は、荷受面３（チェックアウトカウンタ２）に固定される。
【００２９】
本体部１１１と支持部１１２との一体化により、本体部１１１の側面と側面部１１２１との間には、配線経路となる間隙１１２３（スペース）が本体部１１１の高さ方向に亘って形成される。間隙１１２３は、本体部１１１の側面のケーブル穴（図示せず）に接続される。これにより、筐体１１では、本体部１１１と表示部１３との間の配線を、間隙１１２３を通じて行うことができる。
【００３０】
また、支持部１１２の側面部１１２１には、付加部品ＯＰを取り付けることが可能な第１取付部１１２１ａが設けられている。第１取付部１１２１ａは、例えばネジ穴等である。第１取付部１１２１ａは、側面部１１２１の高さ方向に亘って、取付領域１１２１ｂの単位で設けられる。
【００３１】
取付領域１１２１ｂは、付加部品ＯＰの取り付け用に確保された小領域であり、付加部品ＯＰが取り付けられる本体部１１１の側面（側面部１１２１）を所定の高さ方向のサイズで区分した大きさを有する。ここで、区分の基準となる高さ方向のサイズは、例えば、付加部品ＯＰを側面部１１２１に取り付けた際に、付加部品ＯＰが側面部１１２１に当接する領域部分の高さ方向の長さに基づいて設定される。なお、図４では、取付領域１１２１ｂを破線によって表しており、８個の取付領域１１２１ｂが設定された例を示している。
【００３２】
付加部品ＯＰは、ネジ止め等によって側面部１１２１に設けられた第１取付部１１２１ａに取り付けられることで、側面部１１２１に装着される。つまり、付加部品ＯＰは、取り付け先の第１取付部１１２１ａの高さに対応して、設置高さを調整することが可能となっている。
【００３３】
なお、図４では、側面部１１２１の足部１１３を除く領域に、取付領域１１２１ｂの個数に対応した８個の第１取付部１１２１ａを設けた例を示しているが、荷受面３に近い領域等に、第１取付部１１２１ａを設けない非取付領域を設定してもよい。この場合、非取付領域の高さ方向のサイズは、取付領域１１２１ｂの高さ方向のサイズを整数倍した値とすることが好ましい。
【００３４】
ところで、上記構成の販売登録装置１０では、付加部品ＯＰが未装着の第１取付部１１２１ａが筐体１１の側面に露出することになる。第１取付部１１２１ａが露出することで、販売登録装置１０のデザイン性が低下する可能性がある。また、第１取付部１１２１ａがネジ穴等で構成される場合、第１取付部１１２１ａが露出すると、本体部１１１内へのゴミの侵入源となる可能性がある。
【００３５】
そこで、販売登録装置１０では、支持部１１２の側面部１１２１に、サイドパネル１２３を着脱自在に取り付けるための第２取付部１１２１ｃを設けている。第２取付部１１２１ｃは、例えばスナップフィット構造の係止穴（凹部）である。
【００３６】
第２取付部１１２１ｃは、上述した取付領域１１２１ｂ毎に設けられる。図４では、取付領域１１２１ｂの中央、つまり、左右の第１取付部１１２１ａの間に一の第２取付部１１２１ｃを設けた例を示している。なお、第２取付部１１２１ｃの設置位置や個数はこれに限らないものとするが、第１取付部１１２１ａに付加部品ＯＰを取り付けた際に、付加部品ＯＰによって隠れる位置に第２取付部１１２１ｃを設けることが好ましい。
【００３７】
また、第２取付部１１２１ｃは、支持部１１２の高さ方向に連続的に設けられた穴や溝等であってもよい。この場合、第２取付部１１２１ｃは、複数の取付領域１１２１ｂに亘って設けられてもよい。なお、非取付領域が存在する場合であっても、側面部１１２１の全面を覆うことができるよう、非取付領域内にも第２取付部１１２１ｃを設けることが好ましい。
【００３８】
次に、図５、図６を参照して、サイドパネル１２３について説明する。図５は、サイドパネル１２３の外観構成の一例を示す斜視図である。また、図６は、図５に示したサイドパネル１２３をＡ１方向から見た図である。
【００３９】
サイドパネル１２３は、カバー部の一例である。サイドパネル１２３は、支持部１１２に取り付けられた際に、筐体１１の側面となるパネル面１２３１を主面として有する。
【００４０】
パネル面１２３１の幅方向のサイズは、支持部１１２の側面部１１２１の幅方向のサイズと略同等である。また、パネル面１２３１の高さ方向のサイズは、取付領域１１２１ｂの高さ方向サイズに基づく値となっている。具体的には、パネル面１２３１の高さ方向のサイズは、取付領域１１２１ｂの高さ方向のサイズの倍数（整数倍）に準じた値で形成される。
【００４１】
ここで、倍数の範囲は、１から側面部１１２１（及び非取付領域）に存在する取付領域１１２１ｂの個数（最大倍数）の間であるとするが、最大倍数を用いない構成としてもよい。図５では、取付領域１１２１ｂに相当する領域を破線で示しており、３個分の取付領域１１２１ｂの大きさで形成されたパネル面１２３１を示している。以下、取付領域１１２１ｂの高さ方向のサイズのＮ倍（Ｎは整数）の大きさで形成されたパネル面１２３１を有するサイドパネル１２３を、Ｎ倍サイズのサイドパネル１２３と表記する。
【００４２】
パネル面１２３１の裏面側には被取付部１２３２が設けられている。被取付部１２３２は、例えばスナップフィット構造のフック（凸部）であり、支持部１１２の第２取付部１１２１ｃによって着脱自在に係止される。
【００４３】
被取付部１２３２が設置される位置や個数は特に問わないものとするが、支持部１１２の第２取付部１１２１ｃに対応する位置に設けられるものとする。また、被取付部１２３２は、サイドパネル１２３が取り付けられた際に、そのパネル面１２３１と当該パネル面１２３１と同サイズ分の取付領域１１２１ｂとが略一致する部位に設置されるものとする。また、被取付部１２３２は、サイドパネル１２３の天地を反転させた場合に、反転前と同様の状態で取り付けることが可能な部位に設置してもよい。具体的には、被取付部１２３２は、パネル面１２３１の中央や、当該中央を基準に点対称となる部位に設置する構成としてもよい。
【００４４】
また、サイドパネル１２３は、複数個用意される。例えば、１倍サイズのサイドパネル１２３が複数個用意される。また、２倍サイズのサイドパネル１２３と、３倍サイズのサイドパネル１２３とが複数個用意される。具体的には、サイドパネル１２３は、付加部品ＯＰを任意の高さに取り付けた場合であっても、筐体１１の両側面を覆うことが可能な個数（例えば最小数）分が用意される。
【００４５】
なお、全てのサイドパネル１２３のサイズを１倍とするよりは、サイズが異なるサイドパネル１２３を含める方が好ましい。これにより、サイドパネル１２３の総数が減るため、コストの削減を図ることができるとともに、取り付け時の作業量を減らすことができる。
【００４６】
例えば、側面部１１２１に取付領域１１２１ｂが８個存在する場合（図４の状態）、筐体１１の一側面につき、１倍サイズのサイドパネル１２３を１個、２倍サイズのサイドパネル１２３を２個、３倍サイズのサイドパネル１２３を２個用意する。これら３種類のサイドパネル１２３により、付加部品ＯＰが何れの高さに取り付けられた場合であっても、残りの領域をサイドパネル１２３で覆うことができる。
【００４７】
次に、サイドパネル１２３の取り付け方法について説明する。図７は、図４に示した支持部１１２にサイドパネル１２３を取り付けた状態の一例を示す斜視図である。図８は、支持部１１２及びサイドパネル１２３の取り付け部分の断面の一例を模式的に示す図である。
【００４８】
図７に示すように、サイドパネル１２３は、筐体１１（本体部１１１）の外側にパネル面１２３１を向けた状態で、側面部１１２１に取り付けられる。このとき、パネル面１２３１の裏面側に設けられた被取付部１２３２は、側面部１１２１の第２取付部１１２１ｃによって係止される（図８参照）。
【００４９】
図８は、第２取付部１１２１ｃ及び被取付部１２３２を、スナップフィット構造とした例を示している。同図に示すように、サイドパネル１２３の被取付部１２３２は凸部を有し、当該凸部を第２取付部１１２１ｃの凹部にはめ込んで引っ掛けることで、サイドパネル１２３は、支持部１１２に取り付けられる。支持部１１２からサイドパネル１２３を取り外す際には、被取付部１２３２の凸部に対し第２取付部１１２１ｃの中心方向に力を加えることで、第２取付部１１２１ｃの凹部から被取付部１２３２の凸部を外すことができる。これにより、サイドパネル１２３は、筐体１１の側面に着脱自在に取り付けられる。
【００５０】
また、サイドパネル１２３は、図９〜図１１に示すように、筐体１１の側面を覆うよう当該側面の高さ方向に亘って複数個取り付けられる。図９〜図１１は、サイドパネル１２３を取り付けた販売登録装置１０（筐体１１）の側面の一例を模式的に示す図である。なお、図９〜図１１では、図４で説明した８個の取付領域１１２１ｂが筐体１１の側面（側面部１１２１）に設定された例を示している。また、サイドパネル１２３での第２取付部１１２１ｃの大きさに対応する領域を破線で示している。
【００５１】
ここで、図９は、付加部品ＯＰが未装着の状態を示す図である。図９では、上から順に、３倍サイズのサイドパネル１２３ａ、２倍サイズのサイドパネル１２３ｂ、３倍サイズのサイドパネル１２３ａが、筐体１１の側面に取り付けられている。このように、筐体１１の側面は、サイズの異なる２種類のサイドパネル１２３ａ、１２３ｂによって覆うことができる。なお、サイドパネル１２３の取付け順序はこれに限らず、３倍サイズ、３倍サイズ、２倍サイズの順や、２倍サイズ、３倍サイズ、３倍サイズの順に取り付けてもよい。
【００５２】
また、図１０は、筐体１１の側面（側面部１１２１）に存在する８個の取付領域１１２１ｂのうち、上から４個目の取付領域１１２１ｂに付加部品ＯＰを取り付けた例を示している。この場合は、上から順に、３倍サイズのサイドパネル１２３ａ、２倍サイズのサイドパネル１２３ｂ、２倍サイズのサイドパネル１２３ｂを取り付けることで、筐体１１の側面を覆うことができる。
【００５３】
また、図１１は、筐体１１の側面（側面部１１２１）に存在する８個の取付領域１１２１ｂのうち、上から１個目の取付領域１１２１ｂに付加部品ＯＰを取り付けた例を示している。この場合は、上から順に、３倍サイズのサイドパネル１２３ａ、２倍サイズのサイドパネル１２３ｂ、２倍サイズのサイドパネル１２３ｂを取り付けることで、筐体１１の側面を覆うことができる。
【００５４】
以上のように、販売登録装置１０は、筐体１１（本体部１１１）の側面に、付加部品ＯＰを取り付けるための第１取付部１１２１ａと、サイドパネル１２３を取り付けるための第２取付部１１２１ｃとを、取付領域１１２１ｂの単位で備える。そして、販売登録装置１０では、筐体１１（本体部１１１）の側面のうち、付加部品ＯＰが未装着の領域に、取付領域１１２１ｂの高さ方向のサイズに基づいた大きさのサイドパネル１２３を、着脱自在に取り付けることが可能となっている。
【００５５】
これにより、販売登録装置１０では、付加部品ＯＰの装着によって筐体１１の側面が区分された場合であっても、サイドパネル１２３を用いることで、付加部品ＯＰが未装着の領域を覆うことができる。また、販売登録装置１０では、付加部品ＯＰの設置高さが変更された場合でも、複数のサイドパネル１２３を組み合わせることで、付加部品ＯＰが未装着の領域を覆うことができる。したがって、販売登録装置１０では、付加部品ＯＰが装着された筐体１１（本体部１１１）の側面を、サイドパネル１２３によって効率的に覆うことができる。
【００５６】
また、販売登録装置１０では、装着された付加部品ＯＰによって隠される部位に第２取付部１１２１ｃを設けることができるため、付加部品ＯＰの装着部位で第２取付部１１２１ｃが露出してしまうことを防ぐことができる。
【００５７】
以上、本発明の実施形態について説明したが、本発明はこれに限定されるものではなく、本発明の主旨を逸脱しない範囲での種々の変更、置換、追加、組み合せ等が可能である。
【００５８】
例えば、上記実施形態では、筐体１１の一方の側面に一の付加部品ＯＰを取り付ける例を示したが（図７〜図９参照）、これに限らないものとする。例えば、筐体１１の両方の側面に、それぞれ一の付加部品ＯＰを取り付ける構成としてもよい。また、筐体１１の一方又は両方の側面に、複数の付加部品ＯＰを取り付ける構成としてもよい。何れの場合においても、上記したサイドパネル１２３を用いることで、付加部品ＯＰの未装着の領域を覆うことができる。
【００５９】
また、支持部１１２の断面形状は上記実施形態の例に限らないものとする。例えば、支持部１１２は、内部に中空領域を有する角パイプ等の柱状（筒状）部材としてもよい。この場合、支持部１１２の断面形状は特に問わないものとするが、本体部１１１やサイドパネル１２３、付加部品ＯＰを取り付けることが可能な形状を有するものとする。また、支持部１１２は、本体部１１１に取り付けられる面側に、本体部１１１の側面のケーブル穴に連通する貫通穴を備えるものとする。また、支持部１１２は、筐体１１の側面となる面側に、上述した第１取付部１１２１ａや第２取付部１１２１ｃ等を備えるものとする。これにより、支持部１１２は、自身の中空領域により、本体部１１１との間に間隙１１２３を形成することができる。
【００６０】
また、上記実施形態では、サイドパネル１２３のパネル面１２３１を平坦面としたが、これに限らず、溝等を刻んだ面としてもよいし、凹凸を有した曲面等としてもよい。
【符号の説明】
【００６１】
１  チェックアウトシステム
２  チェックアウトカウンタ
３  荷受面
１０  販売登録装置
１１  筐体
１１１  本体部
１１２  支持部
１１２１  側面部
１１２１ａ  第１取付部
１１２１ｂ  取付領域
１１２１ｃ  第２取付部
１１２２  延設部
１１２３  間隙
１２、１２１、１２２  パネル部
１２３、１２３ａ、１２３ｂ  サイドパネル
１２３１  パネル面
１２３２  被取付部
１３  表示部
１４  操作部
２１  読取部
２２  プリンタ部
ＯＰ  付加部品
【先行技術文献】
【特許文献】
【００６２】
【特許文献１】特開２０１０−２５７１２０号公報
【図１】
2019153163.tif 000003
【図２】
2019153163.tif 000004
【図３】
2019153163.tif 000005
【図４】
2019153163.tif 000006
【図５】
2019153163.tif 000007
【図６】
2019153163.tif 000008
【図７】
2019153163.tif 000009
【図８】
2019153163.tif 000010
【図９】
2019153163.tif 000011
【図１０】
2019153163.tif 000012
【図１１】
2019153163.tif 000013